(57)【特許請求の範囲】
【請求項１】
フロントキャビネットに設けられた略矩形状の窓部から厚みの薄い表示パネルの前方を露出させて配置する表示装置において、
前記フロントキャビネット裏面における前記表示パネルが配置される領域外周から同フロントキャビネットの垂直方向に延設し、延設方向に対して略水平な雌ネジ部を備える複数のボス部から構成される固定部位と、
前記フロントキャビネットの裏面側から同フロントキャビネットの垂直方向に延設して、前記フロントキャビネットに配置された前記表示パネルの外周を位置決めする位置決めリブと、
前記ボス部の雌ネジ部と螺合する螺合部を備え、前記螺合部の軸心に対して放射状に延設した傘部を備えるねじ部材とを有し、
前記固定部位は、前記フロントキャビネットに位置決めされる表示パネルの複数の厚みに対応した延設長の異なる前記ボス部を隣接して配置した構成であって、
前記位置決めリブにより前記表示パネルを位置決めして配置し、配置された前記表示パネルの厚みと略同寸の延設長であるボス部に前記ねじ部材を螺合することで、前記傘部の裏面と前記フロントキャビネットの裏面とで該表示パネルを挟持して固定したことを特徴とする表示装置。
【請求項２】
前記ボス部の近傍には、延設高さが該ボス部と略同寸の支持リブを有し、
前記ボス部と螺合した前記ねじ部材の傘部裏面を前記支持リブの頂点付近で支持することを特徴とする請求項１に記載の表示装置。
【請求項３】
前記支持リブにおける頂点付近を形成する面は、略Ｔ字状に形成されていることを特徴とする請求項２に記載の表示装置。
【請求項４】
前記ねじ部材の傘部裏面は、摩擦力が高くなるよう加工されていることを特徴とする請求項１〜請求項３のいずれか一項に記載の表示装置。
【請求項５】
本表示装置は、厚みの薄い箱形状の表示パネルと、
前記表示パネルの背面側に固定されて、前記表示パネルに取得した信号及び電源を供給する基板と、
前記フロントキャビネットの背面側に固定されるリアキャビネットと、  
前記ボス部の近傍に、延設高さが該ボス部と略同寸の支持リブとを有し、
前記傘部は、座金であって、
前記支持リブにおける頂点付近を形成する面は、略Ｔ字状に形成されており、前記ボス部と螺合した前記ねじ部材の傘部裏面を略Ｔ字状に形成された前記面で支持する構成とされ、
前記ねじ部材の傘部裏面は、摩擦力が高くなるよう前記傘部から突出した突起を備えることを特徴とする請求項１に記載の表示装置。
【発明の詳細な説明】
【技術分野】
【０００１】
本発明は、フロントキャビネットに表示パネルを固定する表示装置に関するものである。
【背景技術】
【０００２】
従来、筐体前面に窓部を設け、この窓部から表示パネルの前面を露出させて映像を表示する表示装置が知られている。表示装置の筐体は、筐体における前面部を形成するとともに、窓部を備えるフロントキャビネットと、背面部を形成するリアキャビネットとから形成されている。表示装置の組み立て方としては、フロントキャビネットに表示パネルを、その前面が窓部から露出するよう固定した後、リアキャビネットをフロントキャビネットにねじ止めする。
【０００３】
従来、表示パネルをフロントキャビネットに固定する際、別体で形成された固定部材を用いて、その固定を行なっていた。また、異なる厚みを有する表示パネルをフロントキャビネットに固定する場合も同様に固定部材を用いてその固定を行なっていた。ここで、固定部材とは、表示パネルをフロントキャビネットに固定するための部材であり、ねじ部材やワッシャー等の汎用的に使用される部材を除外する。
【０００４】
例えば、表示パネルの四隅側面と係合する保持部材を用いて、この保持部材を表示パネルの四隅側面と係合させた状態で、リアキャビネットとネジ止めする技術が開示されている（例えば、特許文献１参照。）。
【０００５】
また、表示パネルの隅部を２枚のスペーサで挟みこみ、この表示パネルとスペーサとの位置関係を保ったまま、フロントキャビネットと２枚のスペーサとをネジ止めする技術が開示されている（例えば、特許文献２参照。）。
【０００６】
そして、表示パネルの四隅と係合する押さえ部材を用いて、この押さえ部材を表示パネルの四隅と係合させた状態でリアキャビネットとネジ止めする技術が開示されている（例えば、特許文献３参照。）。
【０００７】
さらに、表示パネルを筐体に固定する技術ではないが、壁面から延設した部材、及びボスを所定位置に配置することで形成したスリットに基板を挿入するとともに、この基板を壁面側に押し付けて固定する技術が開示されている。このとき、ねじ部材をワッシャーに貫通させた状態で、このワッシャー裏面がスリットに挿入した基板を壁側に押し付けるよう部材又はボスにねじ止めしている（例えば、特許文献４参照）。
【特許文献１】特開平９−３１１３１９号公報
【特許文献２】実用新案登録第３１１１６７０号公報
【特許文献３】特開２００１−３０５９８２号公報
【特許文献４】実開昭６２−１８６４８８号公報
【発明の開示】
【発明が解決しようとする課題】
【０００８】
上述した特許文献１〜４の技術は、次のような課題があった。つまり、いずれの技術も、表示パネルを筐体に固定するに際し、別体で形成された固定部材を使用している。そのため、組み付け時においては、部品点数が多くなり、作業性が悪くなっていた。また、コスト面においては、固定に使用されるだけの固定部材を使用する分、コストが高くなっていた。
【０００９】
また、特許文献５の技術は、表示パネルを筐体に固定するための技術ではない。
【００１０】
本発明は、上記課題に鑑みてなされたもので、別部材を用いることなく、同一のフロントキャビネットを用いて異なる厚みの表示パネルを固定することができる表示装置を提供する。
【課題を解決するための手段】
【００１１】
本発明の一局面として、フロントキャビネットに設けられた略矩形状の窓部から厚みの薄い表示パネルの前方を露出させて配置する表示装置において、前記フロントキャビネット裏面における前記表示パネルが配置される領域外周から同フロントキャビネットの垂直方向に延設し、延設方向に対して略水平な雌ネジ部を備える複数のボス部から構成される固定部位と、前記フロントキャビネットの裏面側から同フロントキャビネットの垂直方向に延設して、前記フロントキャビネットに配置された前記表示パネルの外周を位置決めする位置決めリブと、前記ボス部の雌ネジ部と螺合する螺合部を備え、前記螺合部の軸心に対して放射状に延設した傘部を備えるねじ部材とを有し、前記固定部位は、前記フロントキャビネットに位置決めされる表示パネルの複数の厚みに対応した延設長の異なる前記ボス部を隣接して配置した構成であって、
前記位置決めリブにより前記表示パネルを位置決めして配置し、配置された前記表示パネルの厚みと略同寸の延設長であるボス部に前記ねじ部材を螺合することで、前記傘部の裏面と前記フロントキャビネットの裏面とで該表示パネルを挟持して固定した構成としてある。
【００１２】
上記のように構成した発明では、フロントキャビネットに設けられた略矩形状の窓部から厚みの薄い表示パネルの前方を露出させて配置する表示装置に関するものである。この表示装置は、フロントキャビネット裏面における窓部の外周から延設し、延設方向に対して略水平な雌ネジ部を備えるボス部にて構成された固定部位と、フロントキャビネットの裏面側であって、窓部の外周から延設して、このフロントキャビネットに配置される表示パネルの外周を位置決めする位置決めリブと、ボス部の雌ネジ部と螺合するとともに、軸心に対して放射状に展開した傘部を備えるねじ部材とを有している。また、フロントキャビネット裏面側であって、前記表示パネルが配置される領域外周に、厚みの異なる表示パネルに対応した延設長の前記ボス部が隣接して配置される。
【００１３】
そのため、位置決めリブにより表示パネルを位置決めして配置し、配置された表示パネルの厚みと略同寸の延設長であるボス部材にねじ部材を螺合することで、傘部の裏面とフロントキャビネットの裏面とで該表示パネルを挟持して固定することができる。
つまり、表示パネルは、位置決めリブと、ねじ部材を貫通した傘部材により、フロントキャビネットに固定されるため、傘部として座金等の汎用的な部材を使用すれば、固定するための固定部材を新たに使用する必要がない。そのため、組み付けにおける部品点数が少なくなり、作業性を向上させることができる。また、固定部材を使用しない分、コストを下げることができる。
【００１４】
好ましくは、前記ボス部の近傍には、延設高さが該ボス部と略同寸の支持リブを有し、前記ボス部と螺合した前記ねじ部材の傘部裏面を前記支持リブの頂点付近で支持する。
上記のように構成された発明では、ネジ部材をボス部に螺合して、傘部の裏面とフロントキャビネットの裏面とで表示パネルを狭持する際、傘部における表示パネルと当接しない側の裏面が、支持リブの頂点付近で支持されるため、傘部裏面は表示パネルの背面と略並行に対じすることができる。そのため、ネジ部材の締め付けによって、傘部の裏面に発生する力が逃げてしまうのを防止することができ、表示パネルをフロントキャビネットに確実に固定することができる。
【００１５】
好ましくは、前記支持リブにおける頂点付近を形成する面は、略Ｔ字状に形成されている。
上記のように構成された発明では、ネジを締め付けた場合でも、傘部裏面が、Ｔ字状の面で支持されるため、傘部裏面に発生する力が逃げてしまうことがない。
【００１６】
好ましくは、前記ねじ部材の傘部裏面は、摩擦力が高くなるよう加工されている。
上記のように構成された発明では、傘部裏面は、摩擦力が高くなるよう加工されているため、ネジ部材の締め付けにより、傘部裏面と表示パネルの背面との間に発生する摩擦力がより大きくなり、表示パネルを確実に固定することができる。
【００１７】
本発明の他の局面として、本表示装置は、厚みの薄い箱形状の表示パネルと、
【００１８】
前記表示パネルの背面側に固定されて、前記表示パネルに取得した信号及び電源を供給する基板と、前記フロントキャビネットの背面側に固定されるリアキャビネットと、前記ボス部の近傍に、延設高さが該ボス部と略同寸の支持リブとを有し、前記傘部は、座金であって、前記支持リブにおける頂点付近を形成する面は、略Ｔ字状に形成されており、前記ボス部と螺合した前記ねじ部材の傘部裏面を略Ｔ字状に形成された前記面で支持する構成とされ、前記ねじ部材の傘部裏面は、摩擦力が高くなるよう前記傘部から突出した突起を備える。
【発明の効果】
【００１９】
以上説明したように本発明によれば、同一のフロントキャビネットを用いて異なる厚みの表示パネルを固定することができる。
また請求項２、３、４にかかる発明によれば、ネジ部材の締め付けによって、傘部の裏面に発生する力が逃げてしまうのを防止することができ、表示パネルをフロントキャビネットに確実に固定することができる。
さらに請求項５のような、より具体的な構成において、上述した請求項１〜請求項４の各発明と同様の作用を奏することはいうまでもない。
【発明を実施するための最良の形態】
【００２０】
以下、下記の順序に従って本発明の実施形態を説明する。なお、図中の同一又は相当部分は同じ符号を使用し、その説明は繰返さない。
（１）実施の形態
（２）変形例
【００２１】
（１）実施の形態 
以下、図を参照して、この発明に係る表示装置を具体化した第一の実施の形態について説明する。図１は、本発明に係る表示装置１０の構成図である。表示装置１０は、筐体の前面側を構成するフロントキャビネット１００と、筐体の背面側を構成するリアキャビネット７０と、映像を表示するための表示パネル９０と、本表示装置１０の駆動を電気的に制御する基板８０とを有している。
【００２２】
ここで、表示パネル９０とは、映像を表示するための各種装置が実装されたものであり、その主たる構成要素としては、アナログ又はディジタル信号に基づいて、図形、文字等を表示するパネル本体である。また、本発明においては、表示パネル９０とはパネル本体の駆動に関係する他の装置をその構成要素として含む。例えばパネル本体が液晶パネルであれば、パネル本体を背面から照らすバックライトユニットや、パネル本体を保護するフレームとしてのベゼルや、背面フレーム等を含む。なお、以下の説明では、パネル本体は液晶パネルとして説明を行なうが、これに限定されず、例えばＰＤＰ（Plasma display Panel)やＬＥＤ(Light-Emitting Diode）パネルであってもよい。
【００２３】
図２は、フロントキャビネットに固定される表示パネルの垂直断面図である。表示パネル９０は、基板８０で制御されたディジタル信号を変換して、映像を表示するためのものである。図に示すように、本表示パネル９０は、厚みの薄い箱型形状である。前述したように、表示パネル９０は、パネル本体９１と、バックライトユニット９２と、ベゼル９３と、光学シート９４と、位置決めフレーム９５と、背面フレーム９６とから構成されている。
【００２４】
表示パネル９０は、パネル本体９１の背面に光学シート９４を配置し、さらにその背面にバックライトユニット９２を配置している。パネル本体９１と光学シート９４とバックライトユニット９２との位置関係は、位置決めフレーム９５を用いて所定の位置関係を保ったまま固定されている。上述したパネル本体９１と、光学シート９４と、バックライトユニット９２とは、その位置関係を保ったまま前面側をベゼル９３で、背面側を背面フレーム９６でそれぞれ覆われている。ここで、前面側とはパネル本体９１における映像を表示する側である。また、ベゼル９３とは、パネル本体９１を前面側から覆う補強フレームのことである。そして、光学シート９４は、バックライトユニット９２から照射される光を乱反射させて輝度を高める機能の他、所定の波長域の光を吸収又は反射させる機能を備えている。なお、表示パネル９０を構成する各部位は、例えば、表示パネル９０の側面側でそれぞれねじ止めされて固定されている。
【００２５】
フロントキャビネット１００は、筐体の前面側を形成し、表示パネル９０をネジ止めして収容するものである。図３は、フロントキャビネットを裏面側から見た図である。本表示装置１０におけるフロントキャビネット１００は、一面が開口した厚みの薄い箱形状であり、開口と対向した面に表示パネルの前面を露出させる開口である窓部１１０と、この窓部１１０外周に表示パネル９０を収容する際位置決めを行なう位置決めリブ１２０と、収容された表示パネル９０を固定するための複数のボス部１３１ａ〜ｘで構成される固定部位１３０と、固定部位１３０のボス部と螺合したネジ部材（後述）を支持する支持リブ１４０とを有している。なお、フロントキャビネットの裏面とは、表示パネル９０が露出した側の面を表面とした場合、表面に対して裏側の面を言う。上述した、固定部位１３０と位置決めリブ１２０とは、好ましくは、フロントキャビネット１００を成形する際一体成形されるものである。
【００２６】
なお、本実施形態では、位置決めリブ１２０をフロントキャビネット１００における図中上下に４個ずつ有し、図中左右に２個ずつ有している。また、固定部位１３０は、表示パネル９０を固定するためのボス部を図中上下に８個ずつ有し、図中左右に４個ずつ有している。なお、ボス部１３１ａ〜ｘの位置は、フロントキャビネット１００に表示パネル９０を収容した際、表示パネル９０の外周付近に配置されている。また、位置決めリブ１２０は、裏面から延設した先端部が、収容された表示パネル９０の外周と係合するよう配置されている。
【００２７】
位置決めリブ１２０は、フロントキャビネット１００に収容される表示パネル９０を位置決めするためのものである。図４は本実施形態における位置決めリブを説明する図である。なお、図中の点線は、フロントキャビネット１００に収容された表示パネル９０を示す。位置決めリブ１２０は、フロントキャビネット１００の裏面から延設した薄板状の部材であり、延設した先端内側部位が切りかかれており、全体としてＬ字形状としてある。位置決めリブ１２０は、この切り欠かれた部位の座面１２１と側面１２２とで表示パネル９０を位置決めする。具体的には、座面１２１で表示パネル９０の表示面側の面を受け、側面１２２で表示パネル９０の外周側面と当接する。そのため、フロントキャビネット１００裏面には、上述した位置決めリブ１２０が、その側面１２２を収容される表示パネル９０の外周側面と当接するよう配置されている。
【００２８】
固定部位１３０は、フロントキャビネット１００に収容された表示パネル９０を固定するためのものである。図５は、本実施形態における固定部位を説明する図である。同図より、固定部位１３０は、複数のボス部１３１ａ〜ｘを有している。ボス部１３１ａ〜ｘは、フロントキャビネット１００の裏面から延設した円筒形状の物体であって、この円筒内面にネジ部材（後述）と螺合する雌ネジ部１３２を備えている。また、図３に示すように、１つのボス部１３１の近傍には、延設長が異なるボス部が配置されている（例えば１３１ｉと１３１ｊ）。本実施形態では、ボス部は、厚みの異なる２種類の表示パネルに対応しており、１組のボス部は、それぞれどちらかの表示パネルに対応した延設長である。
【００２９】
なお、フロントキャビネット１００裏面におけるボス部１３１ａ〜ｘと位置決めリブ１２０との位置関係は、位置決めリブ１２０とボス部とが、同一位置に配置されないことが望ましい。これは、フロントキャビネット１００に衝撃が加えられた際、位置決めリブ１２０に掛かる衝撃がボス部に伝達し、ボス部がその衝撃で折れてしまうのを防止するためである。なお、同一位置とは、例えば、固定部位１３０におけるボス部１３１ａと位置決めリブとが図３の二点鎖線ＡＡ’で示す点線上に位置し、且つ一体形成されていることを言う。
【００３０】
支持リブ１４０は、ボス部１３１ａ〜ｘと螺合したネジ部材（後述）を支持するためのものである。図５に示すように支持リブ１４０は、フロントキャビネット１００裏面からの延設長がボス部１３１ａ〜ｘと略同寸である薄板状の物体である。支持リブ１４０は、１つのボス部１３１ａ〜ｘに対して１つ対となって配置されている。そのため、略同寸とは、支持リブ１４０の延設長が対となったボス部１３１ａ〜ｘの延設長と略同寸という意味である。つまり、延設長の異なるボス部１３１ａ〜ｘに対してそれぞれ、延設長の同寸の支持リブ１４０が配置されている。また、支持リブ１４０の頂点付近を形成する面は、Ｔ字形状である。なお、本実施例では、支持リブ１４０とボス部１３１ａ〜ｘとは、一体で成形されているが、別体であってもよい。
【００３１】
ネジ部材は、ボス部１３１ａ〜ｘと螺合して、フロントキャビネット１００に収容された表示パネル９０を固定するためのものである。図６は、ネジ部材１５０を説明する図である。同図より、ネジ部材１５０は、雄ネジを備えた柱状の螺合部１５１と、螺合部１５１の軸心から放射状に延設した傘部１５２とをそなえている。なお、本実施形態における螺合部１５１は、ボス部１３１ａ〜ｘの雌ネジ部と螺合可能なネジで形成され、傘部１５２は、厚みの薄い管形状の座金等で形成される。つまり、座金の貫通孔にネジを貫通させることでネジ部材１５０を実現している。さらに、本実施形態での傘部１５２の裏面は、傘部１５２の厚み方向に突出する突起部１５３を備えている。
【００３２】
リアキャビネット７０は、フロントキャビネット１００の開口側に固定されて、筐体における後方側を形成するものである。リアキャビネット７０は、一面が開口した厚みの薄い箱型形状である。また、リアキャビネット７０の外周部には、フロントキャビネット１００と係合するための係合部材７１を有している。
【００３３】
基板８０は、取得した信号を、表示パネル９０が映像を表示できるよう制御するものである。基板は、取得した信号を制御するためのディジタル処理部と、安定化電源を生成し各部に供給する電源部とから構成されている。例えば、ディジタル処理部は、チューナ部、フロントエンド部、デコーダ部、画像処理部等から構成され、テレビジョン放送信号を取得した場合は、受信したテレビジョン放送信号を復調した後、デコードし表示パネル９０に出力する。表示パネル９０は入力された、信号をディジタル／アナログ変換した後、変換されたアナログ信号を用いて映像を表示する。電源部は、外部電源から供給された電源電圧を安定化させて、表示パネル９０及び基板８０が駆動するための電源を供給する電源回路を実行している。
【００３４】
以下に、本表示装置１０の組み付け方法を説明する。
【００３５】
まず、表示パネル９０の背面側に基板８０をネジ止めする。例えば、図２に示すように、背面フレーム９６に形成された固定部材（図示しない）に基板８０をネジを用いて友締めする。次に、表示パネル９０の表示面が、フロントキャビネット１００の窓部１１０から露出するよう、表示パネル９０をフロントキャビネット１００に収容する。そして、ボス部１３１ａ〜ｘにネジ部材１５０を螺合することで収容されたフロントキャビネット１００を固定する。
【００３６】
このとき、図２に示すように、ネジ部材１５０の傘部１５２裏面が、表示パネル９０のベゼル９３の先端９３ａと当接し、表示パネル９０を、フロントキャビネット１００裏面側に押さえ込む。そのため、表示パネル９０は、フロントキャビネット１００の裏面と、傘部１５２の裏面とで狭持される。ここで、フロントキャビネット１００の裏面と傘部１５２の裏面とで狭持されるとは、本実施形態では、位置決めリブ１２０の座面１２１と傘部１５２の裏面とで挟持される関係である。無論、位置決めリブ１２０が存在しない場合もあり、これに限定されるものではい。
【００３７】
また、本表示装置１０では、厚みの異なる表示パネル９０を１つのフロントキャビネット１００を用いて固定することができる。具体的には、表示パネル９０の厚みに応じて、ネジ部材１５０が螺合されるボス部１３１ａ〜ｘを選択することで、厚みの異なる表示パネル９０を固定する。ここで、本実施形態での「厚み」とは、ベゼル９３の前面側から、後方先端（図２における９３ａ）までの厚みを言う。
【００３８】
図７は、厚みの異なる表示パネル９０をフロントキャビネットに固定する方法を説明する図である。なお、図７（ａ）は、厚みｄ１の表示パネル９０をボス部１３１ｊに固定した図である。また、図７（ｂ）は、厚みｄ２の表示パネル９０をボス部１３１ｉ固定した図である。ここで、図に記載された各表示パネル９０の厚みは、ｄ１＜ｄ２の関係を有している。またボス部１３１ｊはボス部１３１ｉより延設長が低い。
【００３９】
図７（ａ）では、ボス部１３１ｊのフロントキャビネット１００裏面からの延設長Ｄ１が、位置決めリブ１２０の座面１２１における延設長ｄ’１と、表示パネル９０の厚みｄ１との和ｄ１+ｄ’１と略同寸である。そのため、ネジ部材１５０をボス部１３１ｊと螺合することで、傘部１５２の裏面が表示パネル９０の縁部と当接する。このため、ネジ部材１５０がボス部１３１ｊに締め付けられることで、傘部１５２の裏面が表示パネル９０をフロントキャビネット１００の裏面側に押圧し、位置決めリブ１２０の座面１２１と、傘部１５２の裏面とが、表示パネル９０を狭持する。
【００４０】
また、傘部１５２の表示パネル９０と当接しない側の裏面は、支持リブ１４０の頂点に形成された面と当接するため、傘部１５２の裏面が表示パネル９０の当接面に対して略水平に保持され、傘部１５２の裏面に発生する力を逃がさない。ここで、当接面とは、表示パネル９０における、傘部１５２の裏面が当接する面を言う。なお、ボス部１３１ｊ及び支持リブ１４０の延設長Ｄ１は、位置決めリブ１２０の座面１２１における延設長ｄ’１と、表示パネル９０の厚みｄ１との和ｄ１+ｄ’１より多少短いことが好ましい。
【００４１】
また、図７（ｂ）でも、同様に、ボス部１３１ｉのフロントキャビネット１００裏面からの延設長Ｄ２が、位置決めリブ１２０の座面１２１における延設長ｄ’２と、表示パネル９０の厚みｄ２との和ｄ２+ｄ’２と略同寸である。そのため、ネジ部材１５０をボス部１３１ｉと螺合することで、位置決めリブ１２０の座面１２１と、傘部１５２の裏面とが、表示パネル９０を狭持し、よって表示パネル９０をフロントキャビネット１００に固定する。そのため、ネジ部材１５０を螺合するボス部の位置を変えることで、厚みの異なる表示パネル９０をフロントキャビネット１００に固定することができる。
【００４２】
上述したように、フロントキャビネット１００に表示パネル９０を固定した状態で、フロントキャビネット１００の開口と、リアキャビネット７０との開口を合わせるよう、両者を固定する。具体的には、まず、リアキャビネット７０の外周部に形成された係合部材７１の先端を、フロントキャビネット１００に形成された係合孔（図示しない）に挿入して両者を位置決めする。その後、リアキャビネット７０とフロントキャビネット１００とをネジを用いて友締めする。これにより、フロントキャビネット１００とリアキャビネット７０とで本表示装置１０における筐体が形成されるとともに、筐体内に表示パネル９０と、基板８０とが所定位置を保ったまま収容される。
【００４３】
（２）変形例
本発明には、様々な変形例が存在する。
本実施例では、延設長の異なるボス部１３１ａ〜ｘを２個で１組としたが、ボス部１３１ａ〜ｘの組合せはこれに限定されず、１つのフロントキャビネット１００に使用される厚みの異なる表示パネル９０の数に合わせてその数を変更すればよい。
【００４４】
支持リブ１４０の頂点付近を形成する面の形状はＴ字状に限定されず、ボス部１３１ａ〜ｘに螺合されたネジ部材１５０の傘部１５２の裏面を表示パネル９０の当接面に対して略水平に保つよう支持できる形状であればよい。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４６】
【図１】本発明に係る表示装置１０の構成図である。
【図２】フロントキャビネットに固定される表示パネルの垂直断面図である。
【図３】フロントキャビネットを裏面側から見た図である。
【図４】本実施形態における位置決めリブを説明する図である。
【図５】本実施形態における固定部位を説明する図である。
【図６】ネジ部材１５０を説明する図である。
【図７】厚みの異なる表示パネル９０をフロントキャビネットに固定する方法を説明する図である。
【符号の説明】
【００４７】
１０…表示装置、７０…リアキャビネット、７１…係合部材、８０…基板、９０…表示パネル、９１…パネル本体、９２…バックライトユニット、９３…ベゼル、９３ａ…先端、９４…光学シート、９５…位置決めフレーム、９６…背面フレーム、１００…フロントキャビネット、１１０…窓部、１２０…位置決めリブ、１２１…座面、１２２…側面、１３０…固定部位、１３１ａ〜ｘ…ボス部、１３２…雌ネジ部、１４０…支持リブ、１５０…ネジ部材、１５１…螺合部、１５２…傘部、１５３…突起部
【図１】
0004475306.tif 000002
【図２】
0004475306.tif 000003
【図３】
0004475306.tif 000004
【図４】
0004475306.tif 000005
【図５】
0004475306.tif 000006
【図６】
0004475306.tif 000007
【図７】
0004475306.tif 000008